(57)【要約】      （修正有）【課題】災害時や非常時に使用できる小型化された携帯用電灯と緊急用警笛を兼ね備える笛機能付き携帯型照明具を提供する。【解決手段】外装ケース２内に取り付けられたＬＥＤと、透明キャップ４内の凸部、若しくはＵＳＢ端子６そのものを吹き込み口８とする笛部５からなり、ＵＳＢ端子６を携帯情報端末の携帯型充電器に接続する。【選択図】図１
0003201222.tif 000002
【実用新案登録請求の範囲】
【請求項１】
外装ケースと、
前記外装ケース内に取り付けられたＬＥＤと、
前記外装ケースの先端に着脱可能に取り付けられた透明キャップと、
前記外装ケースの周面に形成された笛部とを備え、
前記外装ケースの基端にはＵＳＢ端子が突設されてなり、
前記笛部は、
共鳴部が前記外装ケースの周面に沿って形成されてなり、
吹き込み口が前記共鳴部から先端方向に連続して形成されると共に前記外装ケースの先端よりも延伸して形成されてなり、
前記吹き込み口の先端は前記透明キャップの先端よりも僅かに基端側に位置する
ことを特徴とする笛機能付き携帯型照明具。
【請求項２】
外装ケースと、
前記外装ケース内に取り付けられたＬＥＤと、
前記外装ケースの先端に着脱可能に取り付けられた透明キャップと、
前記外装ケースの外周面に形成された笛部とを備え、
前記外装ケースの基端にはＵＳＢ端子が突設されてなり、
前記笛部は、
共鳴部が前記外装ケースの周面に沿って形成されてなり、
吹き込み口が前記共鳴部から基端方向に連続して前記ＵＳＢ端子と一体に形成されてなる
ことを特徴とする笛機能付き携帯型照明具。
【請求項３】
前記外装ケースに記憶媒体が内蔵されてなる
ことを特徴とする請求項１若しくは２に記載の笛機能付き携帯型照明具。
【請求項４】
前記外装ケースに外部メモリ装置の挿し込み口を備える
ことを特徴とする請求項１〜３のいずれかに記載の笛機能付き携帯型照明具。
【請求項５】
前記外装ケースに電池を内蔵する
ことを特徴とする請求項１〜４のいずれかに記載の笛機能付き携帯型照明具。
【考案の詳細な説明】
【技術分野】
【０００１】
本考案は、災害時に使用する笛の付いた照明器具に係り、特に携帯情報端末の充電器やオフィス用ＰＣのＵＳＢ端子に接続することでＬＥＤライトが発光する笛機能付き携帯型照明具に関する。
【背景技術】
【０００２】
従来、震災等の非常時の装置として照明器具に笛を備え付けたものがある。これは非常用電灯に笛を着脱可能に組み込んだものである。またこれをより小型化し一体化させたものがある。これはペンライトの発光部と、前記発光部の反対側に吹き込み口と共鳴部を有する笛を一体に形成したものである。
【先行技術文献】
【特許文献】
【０００３】
【特許文献１】実用新案登録第３０１４３９０号
【特許文献２】実用新案登録第３０２６３１１号
【考案の概要】
【考案が解決しようとする課題】
【０００４】
前記従来の笛機能付き照明具では、どうしてもある程度の大きさのライトを持ち運ばなければならず、不便であった。また発光の手段として電池を用いるため、電池を内蔵する大きさ以下の小型化は困難であった。
【０００５】
さらに、災害時にしか使用することのない笛機能付き照明具を常に持ち運ぶのは不便であり、実際の災害時、ライトの端面から笛を取り出したりすることや、ペンライトの反対側に笛機能があるのを判別するのに時間を要した。
【課題を解決するための手段】
【０００６】
前記問題点に鑑み、本考案は災害時等の非常時に使用できる防災用警笛と携帯用電灯を同時に備え、電源として携帯情報端末の携帯型充電器に設置されているＵＳＢ端子を用いることで小型化され、より常時携帯しやすくなることを特徴とする笛機能付き携帯型照明具である。
【０００７】
本考案に係る笛機能付き携帯型照明具は、外装ケースと、前記外装ケース内に取り付けられたＬＥＤ（Ｌｉｇｈｔ  Ｅｍｉｔｔｉｎｇ  Ｄｉｏｄｅ）と、前記外装ケースの先端に着脱可能に取り付けられた透明キャップと、前記外装ケースの周面に形成された笛部とを備え、前記外装ケースの基端にはＵＳＢ端子が突設されてなり、前記笛部は、共鳴部が前記外装ケースの周面に沿って形成されてなり、吹き込み口が前記共鳴部から先端方向に連続して形成されると共に前記外装ケースの先端よりも延伸して形成されてなり、前記吹き込み口の先端は前記透明キャップの先端よりも僅かに基端側に位置することを特徴とする。
【０００８】
前記外装ケースの一側面にはスイッチが取り付けられ、前記ＵＳＢ端子が携帯情報端末の携帯型充電器に接続された状態で前記スイッチを押すことにより、前記ＬＥＤを発光させることができる。
【０００９】
前記ＵＳＢ端子からスイッチを介して前記ＬＥＤと電気的に接続すると共に、携帯情報端末の携帯型充電器を電源として構成することができる。
【００１０】
前記共鳴部の内部には球体状の振動小玉を有していても好ましい。使用時には、吹き込み口から送り込まれた空気が共鳴部で共鳴し、放音口から振動した空気が放たれ、警笛となるように構成されている。また、共鳴部内の振動小玉が振動することで警笛音を震わせて周囲の注意を引くことができる。
【００１１】
また、本考案に係る笛機能付き携帯型照明具は、外装ケースと、前記外装ケース内に取り付けられたＬＥＤと、前記外装ケースの先端に着脱可能に取り付けられた透明キャップと、前記外装ケースの外周面に形成された笛部とを備え、前記外装ケースの基端にはＵＳＢ端子が突設されてなり、前記笛部は、共鳴部が前記外装ケースの周面に沿って形成されてなり、吹き込み口が前記共鳴部から基端方向に連続して前記ＵＳＢ端子と一体に形成されてなることを特徴とするものであっても好ましい。
【００１２】
前記笛部は、前記ＵＳＢ端子と笛部の吹き込み口が一体に形成され、使用時にはＵＳＢ端子に直接口を付けて息を吹き込むことで警笛となるように構成されている。この場合において、前記ＵＳＢ端子の内部に笛部の共鳴部と連通する通気孔が設けられてなる。
【００１３】
前記笛部は、前記ＵＳＢ端子を用いた吹き込み口と、前記通気孔と、前記共鳴部と、笛部の先端に設けられた放音口により構成される。そして前記共鳴部内には振動小玉を有していても好ましい。使用時には、吹き込み口から送り込まれた空気が共鳴部で共鳴し、放音口から振動した空気が放たれ、警笛となるように構成されている。また、共鳴部内の振動小玉が振動することで警笛音を震わせて周囲の注意を引くことができる。
【００１４】
さらに本考案に係る笛機能付き携帯型照明具は、前記外装ケースに記憶媒体が内蔵されてなることを特徴とするものであっても好ましい。
【００１５】
さらにまた本考案に係る笛機能付き携帯型照明具は、前記外装ケースに外部メモリ装置の挿し込み口を備えることを特徴とするものであっても好ましい。
【００１６】
また、本考案に係る笛機能付き携帯型照明具は、前記外装ケースに電池を内蔵することを特徴とするものであっても好ましい。
【００１７】
前記電池を充電型電池とすれば、笛機能付き携帯型照明具は、オフィス用ＰＣに前記ＵＳＢ端子を接続しておくことで常時充電させることができ、震災等の緊急時、オフィスで停電、被災した際にも携帯用電灯や緊急用警笛として使用できる。
【考案の効果】
【００１８】
本考案に係る笛機能付き携帯型照明具によれば、ＵＳＢ端子による電源への接続が可能となり小型化が実現した。また、携帯型充電器に接続すれば携帯した状態での使用が可能となり、持ち運びにも便利なものとなった。
【００１９】
透明キャップを外すと、前記吹き込み口の先端が突出するため、突出した吹き込み口によって容易に吹き込み口の位置を判別することでき、手探りであっても容易に笛を吹く動作を行うことができる。
【００２０】
そして、本考案に係る笛機能付き携帯型照明具によれば、構造上どちらも笛の判別がしやすく便利なものとなった。
【００２１】
さらに請求項２に係る考案によれば、ＵＳＢ端子と吹き込み口とを一体に構成することにより、考案全体としてさらなる小型化を図ることができる。
【図面の簡単な説明】
【００２２】
【図１】笛機能付き携帯型照明具１の外観を示す概略図であり、（ａ）正面図、（ｂ）左側面図である。
【図２】キャップ４を外した状態の笛機能付き携帯型照明具１の左側面図である。
【図３】笛機能付き携帯型照明具１のＡ−Ａ断面図である。
【図４】笛機能付き携帯型照明具１のＢ−Ｂ断面図である。
【図５】笛機能付き携帯型照明具１を携帯型充電器１８に接続する様子を示す概略図である。
【図６】笛機能付き携帯型照明具２の外観を示す正面図である。
【図７】笛機能付き携帯型照明具２のＣ−Ｃ断面図である。
【図８】笛機能付き携帯型照明具２０１の内部構造を示す概略図である。
【図９】笛機能付き携帯型照明具３０１の内部構造を示す概略図である。
【考案を実施するための形態】
【００２３】
以下、図面を参照しながら本考案の実施形態について詳しく説明する。
【００２４】
＜第１の実施形態＞
第１の実施形態に係る笛機能付き携帯型照明具１は、図１に示すように外装ケース２と、前記外装ケース２の内部に取り付けられたＬＥＤ３と、前記外装ケース２の先端に着脱可能に取り付けられた透明キャップ４と、前記外装ケース２の周面に形成された笛部５とを備えてなる。前記外装ケース２の基端にはＵＳＢ端子６が突設されてなる。前記透明キャップ４は半透明であってもよい。
【００２５】
前記笛部５は、前記外装ケース２の周面に沿って形成されてなる。吹き込み口８が前記共鳴部７から先端方向に連続して形成されると共に前記外装ケース２の先端よりも延伸して形成されてなり、前記吹き込み口８の先端は前記透明キャップ４の先端よりも僅かに基端側に位置する。
【００２６】
透明キャップ４を外すと、図２に示すように前記吹き込み口８の先端が突出するため、突出した吹き込み口８に口を付けて息を吹き込むことで音を鳴らすことができる。この突出した吹き込み口８によって容易に吹き込み口の位置を判別することでき、手探りであっても容易に笛を吹く動作を行うことができる。
【００２７】
図３に第１の実施の形態に係る笛機能付き携帯型照明具１のＡ−Ａ断面図を示す。共鳴部７の内部は中空に形成されてなり、共鳴部７の基端側部分は背面方向に向かって膨らみ部９が形成されてなる。膨らみ部９には振動小玉１０が内包される。膨らみ部９を外装ケース２の内部に埋め込むことにより、笛部５が膨らみ部９を備えていても笛機能付き携帯型照明具１全体の厚みを薄くすることができる。
【００２８】
共鳴部７の正面部分には放音口１１が形成されてなり、前記放音口１１の基端縁から先端縁に向かって笛部５の内部へ向けて屈曲されてなるエッジ１２を有する。
【００２９】
吹き込み口８の内部の背面側には、基端方向に向かって厚みを増してなる嵩上げ板１３が取り付けられてなり、吹き込み口８から吹き込んだ息を、送気管１４内で収束させながらエッジ１２へ送ることができる。
【００３０】
使用時には、吹き込み口８から送気管１４を通って送り込まれた空気が共鳴部７で共鳴し、放音口１１から振動した空気が放たれ、警笛となるように構成されている。また、共鳴部７内の振動小玉１０が振動することで警笛音を震わせて周囲の注意を引くことができる。
【００３１】
図４に第１の実施形態に係る笛機能付き携帯型照明具１のＢ−Ｂ断面図を示す。ＬＥＤ３は制御部１５を介してＵＳＢ端子６と電気的に接続されてなる。また、制御部１５は外装ケース２の側面に取り付けられてなるスイッチ１６とも接続されてなる。
【００３２】
さらに、前記ＵＳＢ端子６を携帯型充電器１８に設置されているＵＳＢジャック２０に接続することで、携帯型充電器１８に内蔵されている電池２１を、ＵＳＢ端子６の電極１７を介して前記ＬＥＤ３の電源として構成させることができる。携帯型充電器１８は外殻が直方体に形成されたケースの端面にＵＳＢジャック２０を備えてなり、内部にＵＳＢジャック２０と電気的に接続された電池２１を備える携帯型の充電器であり、携帯電話機の充電に一般的に用いられるものを使用することができる。前記ＵＳＢ端子６が携帯型充電器１８に接続された状態で前記スイッチ１６を押すことにより、前記ＬＥＤ３を点灯させることができる。また、前記スイッチ１６は前記透明キャップ４の挿し込み口を押すことで作用するスイッチであっても良い。
【００３３】
ＬＥＤ３の周囲には先端方向に拡開した反射鏡１９が設けられてなり、スイッチ１６を押して点灯したＬＥＤ３から放射された光は反射鏡１９に反射され効率的に前方を照らすことができる。
【００３４】
＜第２の実施形態＞
図６に第２の実施形態に係る笛機能付き携帯型照明具１０１の正面図を示す。笛機能付き携帯型照明具１０１は、外装ケース１０２と、前記外装ケース１０２内に取り付けられたＬＥＤ１０３と、前記外装ケース１０２の先端に着脱可能に取り付けられた透明キャップ１０４と、前記外装ケース１０２の外周面に形成された笛部１０５とを備えてなる。前記外装ケース１０２の基端にはＵＳＢ端子１０６が突設されてなる。
【００３５】
前記笛部１０５は、共鳴部１０７が前記外装ケース１０２の周面に沿って形成されてなり、吹き込み口１０８が前記共鳴部１０７から基端方向に連続して前記ＵＳＢ端子１０６と一体に形成されてなる。
【００３６】
図７に第２の実施の形態に係る笛機能付き携帯型照明具１０１のＣ−Ｃ断面図を示す。吹き込み口１０８は、前記ＵＳＢ端子１０６と一体に形成され、使用時にはＵＳＢ端子１０６に口を付け吹き込むことで警笛となるように構成されている。これは前記笛部１０５が図６に示すように、前記ＵＳＢ端子１０６の内部に笛部１０５の共鳴部１０７と連通する通気孔１１４が設けられてなるためである。また、ＵＳＢ端子１０６の内部には、先端方向に向かって厚みを増してなる嵩上げ板１１３が設けられてなり、吹き込み口１０８から吹き込んだ息を収束させながら通気口１１４へ送り込むことができる。
【００３７】
笛部１０５の正面部分には放音口１１１が形成されてなり、前記放音口１１の端縁から笛部１０５の内部へ向けてエッジ１１２が形成されてなる。前記共鳴部１０７内には振動小玉１１０を有する。
【００３８】
使用時には、吹き込み口１０８から送り込まれた空気が共鳴部１０７で共鳴し、放音口１１１から振動した空気が放たれ、警笛となるように構成されている。また、共鳴部１０７内の振動小玉１１０が振動することで警笛音を震わせて周囲の注意を引くことができる。
【００３９】
なお、外装ケース１０２、ＬＥＤ１０３、キャップ１０４、ＵＳＢ端子１０６、制御部１１５、スイッチ１１６、及び反射鏡１１９の構成については前記第１の実施の形態と同様である。
【００４０】
以上のように構成された実施の形態１若しくは実施の形態２に係る笛機能付き携帯型照明具１０１によれば、ＵＳＢ端子１０６を用いた外部電源化が可能となり、小型化された携帯用電灯と緊急用警笛として利用できる。
【００４１】
＜第３の実施の形態＞
また、図８に示すように、本考案に係る笛機能付き携帯型照明具２０１は、外装ケース２０２に記憶媒体２２０及び電池２２１が内蔵されていても好ましい。記憶媒体２２０が制御部２１５と電気的に接続されてなることによってＵＳＢ端子２０６を介して外部コンピュータと情報の送受信を行うことができる。これにより、本考案を携帯型のストレージデバイスとして用いることができる。また、電池２２１が制御部２１５と電気的に接続されてなることによって制御部２１５を介してＬＥＤ２０３に電力を供給することができるため、ＵＳＢ端子２０６に接続するための外部電源が手元にない場合であっても、笛機能付き携帯型照明具２０３単独でも照明として使用することができる。この場合、制御部２１５と電気的に接続されてなるスイッチ２１６を備えることによって、電池２２１からＬＥＤ２０３への電力の供給を必要な場合にのみ行うことができる。
【００４２】
前記電池２２１を内蔵した笛機能付き携帯型照明具２０３は、オフィス用ＰＣのＵＳＢジャックに前記ＵＳＢ端子２０６を接続しておくことで常時充電され、震災等の緊急時、オフィスで停電、被災した際にも携帯用電灯や緊急用警笛として使用できる。
【００４３】
なお、ＬＥＤ２０３、キャップ２０４、笛部２０５、ＵＳＢ端子２０６、共鳴部２０７、吹き込み口２０８、膨らみ部２０９、振動小玉２１０、放音口２１１、エッジ２１２、下板２１３、送気管２１４、制御部２１５、スイッチ２１６、及び反射鏡２１９の構成については前記第１の実施の形態と同様である。
【００４４】
＜第４の実施の形態＞
さらに、図９に示すように本考案に係る笛機能付き携帯型照明具３０１は、外装ケース３０２に外部メモリ装置３２２の挿し込み口３２３及び外部メモリ装置装着部３２４を備えることとしても好ましい。
【００４５】
外部メモリ装置装着部３２４は制御部３１５を介してＵＳＢ端子３０６と電気的に接続されてなる。外部メモリ装置３２２を、挿し込み口３２３から挿し込み、外部メモリ装置装着部３２４に保持することで、ＵＳＢ端子３０６を介して外部メモリ装置３２２と外部コンピュータとの間で情報の送受信を行うことができる。これにより、本考案を携帯型のストレージデバイスとして用いることができる。
【００４６】
なお、ＬＥＤ３０３、キャップ３０４、笛部３０５、ＵＳＢ端子３０６、共鳴部３０７、吹き込み口３０８、膨らみ部３０９、振動小玉３１０、放音口３１１、エッジ３１２、下板３１３、送気管３１４、制御部３１５、スイッチ３１６、電極３１７、及び反射鏡３１９の構成については前記第１の実施の形態と同様である。
【符号の説明】
【００４７】
１  笛機能付き携帯型照明具
２  外装ケース
３  ＬＥＤ
４  透明キャップ
５  笛部
６  ＵＳＢ端子
７  共鳴部
８、１０８  吹き込み口
１１４  通気孔
２２０  記憶媒体
２２１  電池
３２３  挿し込み口
【図１】
0003201222.tif 000003
【図２】
0003201222.tif 000004
【図３】
0003201222.tif 000005
【図４】
0003201222.tif 000006
【図５】
0003201222.tif 000007
【図６】
0003201222.tif 000008
【図７】
0003201222.tif 000009
【図８】
0003201222.tif 000010
【図９】
0003201222.tif 000011